(57)【要約】【課題】スロットイン方式の光ディスクドライブ装置の構造の簡素化を図り、光ディスクのローディング・イジェクトをスムーズに行えるようにする。【解決手段】光ディスクの外周のローディング方向に対して直交する方向である左右両側をメイン回転ローラとメイン非回転ローラで挟持し、駆動モータによってメイン回転ローラを回転制御することにより、光ディスクをフロンとパネルのディスク出入用スロットからターンテーブルの上部位置まで水平にローディングするようにし、その際、ローディングされる光ディスクの外周のローディング方向側で左右一対の押出し用非回転ローラをローディング方向へ押し動し、光ディスクがターンテーブル上までローディングされた後に、メイン回転ローラ及びサブ非回転ローラと、左右一対の押出し用非回転ローラを光ディスクの外周から離間させることによって、光ディスクをターンテーブル上まで水平に下降させてクランプする制御機構７１が１モータ、２スイッチの簡単な構造に構成されている光ディスクドライブ装置。【選択図】図１７
2006331487.tif 000002
【特許請求の範囲】
【請求項１】
モータによって正逆回転駆動されるディスクローディング手段と、ディスク押出し手段とを備え、
ディスクローディング時には、ディスクがディスク出入用スロットに挿入された時に、前記モータによって正回転駆動される前記ディスクローディング手段によって該ディスクの外周を駆動して、該ディスクをディスク出入用スロットからターンテーブル上へローディングすると共に、該ディスクの外周で前記ディスク押出し手段を前記ターンテーブルの後方へ移動させ、
前記ディスクが前記ターンテーブル上までローディングされた後に、前記ローディング手段と前記ディスク押出し手段を前記ディスクの外周から離間することにより、前記ディスクを前記ターンテーブル上へ下降してクランプさせるように構成され、
ディスクのイジェクト時には、前記ローディング手段と前記ディスク押出し手段を前記ディスクの外周へ押圧させることにより、前記ディスクを前記ターンテーブルから上方へ押し上げた後に、そのディスクを前記モータによって逆回転駆動される前記ローディング手段と前記ディスク押出し手段によって前記ターンテーブルの上方位置から前記ディスク出入用スロット外へイジェクトするディスクドライブ装置において、
前記ディスクローディング手段と前記ディスク押出し手段とを前記ディスクの外周に対して離間及び押圧することにより、前記ディスクを前記ターンテーブルに対して昇降するための制御機構が、
前記ローディング手段を前記ディスクのローディング・イジェクト方向に対してほぼ直交する方向にスライドするスライダと、
前記スライダの一端側の下部に取り付けられたピニオンと、
前記スライダに搭載されて前記ディスクローディング手段及び前記ピニオンを共に正逆回転駆動する１つの駆動モータと、
前記スライダの一側部に配置されて、該スライダのスライド方向とほぼ直交する方向へスライドされるメインスライドカムと、
該メインスライドカムの上部に搭載されて、該メインスライドカムのスライド方向に対して所定の角度に傾斜された方向へスライドされるサブスライドカムと、
前記メインスライドカムを前記スライダから引き離す方向へスライド付勢する第１の付勢手段と、
前記サブスライドカムを前記メインスライドカムに対する初期位置へスライド付勢する第２の付勢手段と、
前記サブスライドカムのスライド方向に沿って、該サブスライドカムに形成されたラックであって、前記ピニオンが係合、離脱可能なラックと、
前記メインスライドカムのスライド方向に対して傾斜された状態で、該メインスライドカムに形成されたカム溝と、
前記ディスク押出し手段の支持手段に設けられて前記サブスライドカムの前記ラックを前記スライダの前記ピニオンに対する非係合位置から係合位置へ前記第２の付勢手段に抗して移動制御すると共に、前記メインスライドカムの前記カム溝内へ前記第１の付勢手段に抗して出し入れされるカム従動ピンとを備えている
ことを特徴とするディスクドライブ装置。
【請求項２】
前記ディスクローディング手段及び前記ディスク押出し手段が下方に至るに従って小径となる上部円錐ローラ部と、下方に至るに従って大径となる下部円錐ローラ部と、これらの中間部に配置された円形凹部とによってほぼ鼓型ローラに構成されている
ことを特徴とする請求項１に記載のディスクドライブ装置。
【請求項３】
前記ディスクローディング手段が前記ディスクのローディング・イジェクト方向に２個配置されていて、これら２個のディスクローディング手段が共に前記スライダに搭載され、かつ、これら２個のディスクローディング手段が前記１つの駆動モータによって前記ピニオンと共に同時に正逆回転駆動されるように構成され、
前記制御機構の前記ラック及び前記カム溝が２列状に形成され、かつ、これら２列状のカム溝の先端部間が円弧状溝によって接続されている
ことを特徴とする請求項１に記載のディスクドライブ装置。
【発明の詳細な説明】
【技術分野】
【０００１】
本発明は、ＣＤ、ＤＶＤ等の非記録系（再生専用）のディスクやＣＤ−Ｒ、ＤＶＤ−Ｒ等の記録系（記録、再生の両用）のディスクの両方に適用可能なスロットイン方式のディスクドライブ装置に関するものである。
【背景技術】
【０００２】
従来から、裸の光ディスクをスロットイン方式でローディング・イジェクトすることが可能な光ディスクドライブ装置が知られている。
そして、従来のこの種光ディスクドライブ装置の第１の例としては、ディスク出入用スロットから水平に挿入された光ディスクの上下両面を下側駆動ローラと上側従動ローラ又は上側ガイドとの間で上下から挟持し、下側駆動ローラの回転によって光ディスクを光ディスクドライブ装置内のターンテーブルの上部位置まで水平に引き込む。
この後に、下側駆動ローラを下降させるか又はターンテーブルを上昇させて、光ディスクをターンテーブル上にクランプ（チャッキング）させるものがある。
【０００３】
また、従来のこの種光ディスクドライブ装置の第２の例としては、ディスク出入用スロットから水平に挿入されたディスクの外周のローディング方向に対する斜め前後方向の２箇所を前後一対のローラで挟持し、その光ディスクの左右両側を左右一対のディスクガイドによって案内しつつ、前後一対のローラで光ディスクを光ディスクドライブ装置内のターンテーブルの上部位置まで水平に引き込む。
この後に、ターンテーブルを上昇させて、光ディスクをターンテーブル上にクランプ（チャッキング）させた後に、前後一対のローラを光ディスクの斜め前後方向へ離間し、最後に、ターンテーブルを元の位置まで下降させて、光ディスクの記録、再生を行うものがある。
【０００４】
また、従来のこの種光ディスクドライブ装置の第３の例としては、ディスク出入用スロットから水平に挿入された光ディスクの外周のローディング方向に対してほぼ直交する左右両側方の２箇所を左右一対の回転ローラで挟持し、その回転ローラの１つを駆動モータで正回転駆動することにより、光ディスクをディスク出入用スロットからターンテーブル上まで水平に引き込むと共に、その引き込まれる光ディスクの外周のローディング方向側で非回転のローラをローディング方向へ押し込む。
そして、光ディスクがターンテーブル上まで引き込まれた後に、左右一対の回転ローラと非回転ローラを光ディスクの外周から離間させることにより、その光ディスクをターンテーブル上に水平に下降させてクランプ（チャッキング）させるものである。
なお、光ディスクのイジェクト時には、左右一対の回転ローラと非回転ローラとを光ディスクの外周に押圧させることにより、その光ディスクをターンテーブルから上方へ水平に上昇（離脱）させた後に、非回転ローラで光ディスクを押し出すと共に、回転ローラの１つを駆動モータで逆回転駆動することにより、光ディスクをディスク出入用スロット外へ水平に押し出すようにしたものである。
【特許文献１】特公平４−４６７１号公報
【特許文献２】特開７−２２０３５３号公報
【特許文献３】特開平１１−２１３４９６号公報
【特許文献４】特開２００２−１１７６０４号公報
【発明の開示】
【発明が解決しようとする課題】
【０００５】
しかし、従来の第１の例のように、下側駆動ローラの回転によって光ディスクの下面である記録面を駆動してローディング・イジェクトする方式では、光ディスクの下面である映像信号等の情報の記録面を汚染又は損傷し易く、情報の記録、再生に支障が生じ易いと言う問題がある。
また、ターンテーブルの昇降時には、そのターンテーブルと一体で重量的に重いスピンドルモータも昇降させなければならず、光ディスクドライブ装置の厚みが増し、光ディスクドライブ装置の薄型化が困難になる。  
【０００６】
また、従来の第２の例のように、前後一対のローラによって光ディスクの斜め前後方向の２箇所を挟持し、その光ディスクの左右両側を左右一対のディスクガイドで案内しつつ、前後一対のローラで光ディスクをターンテーブル上まで水平に引き込んだ後に、ターンテーブルを上昇させることによって、光ディスクをターンテーブル上にクランプ（チャッキング）させる。そして、この後に、前後一対のローラを光ディスクの斜め前後方向へ離間させてから、ターンテーブルを元の位置まで下降させて、光ディスクの記録、再生を行うものでは、光ディスクドライブ装置の薄型が困難である上に、構造及び動作が著しく複雑となって、著しくコスト高につく。更に、光ディスクのローディング時間が非常に長くなる等の問題があった。
【０００７】
また、従来の第３の例にように、光ディスクをターンテーブル上まで水平に引き込んだ後に、左右一対の回転ローラと非回転ローラとを光ディスクの外周に対して離間又は押圧させることによって光ディスクをターンテーブルに対して昇降させるものでは、光ディスクのローディング・イジェクト時に左右一対の回転ローラを光ディスクの外周に対する半径方向へ移動制御させる機能の他に、押出しローラと共に、光ディスクの外周に対して離間・押圧させるための機能を独立して設けなければならない。
このために、従来は、複数のモータ（例えば２個のモータ）と多数の切替え用スイッチ（例えば８個のスイッチ）とを用いているのが現状であり、構造が複雑で、高価につくと言う問題があった。
【課題を解決するための手段】
【０００８】
本発明のディスクドライブ装置は、上記の問題を解決するためになされたものであって、ディスク出入用スロットからターンテーブル上までディスクをローディングした後に、ディスクローディング手段とディスク押出し手段とをディスクの外周に対して離間・押圧の制御を行うことにより、そのディスクをターンテーブルに対して昇降制御するディスクドライブ装置におけるディスクローディング手段とディスク押出し手段との制御手段が、ローディング手段を前記ディスクのローディング・イジェクト方向に対してほぼ直交する方向にスライドするスライダと、スライダの一端側の下部に取り付けられたピニオンと、スライダに搭載されてディスクローディング手段及びピニオンを共に正逆回転駆動する１つの駆動モータと、スライダの一側部に配置されて、該スライダのスライド方向とほぼ直交する方向へスライドされるメインスライドカムと、該メインスライドカムの上部に搭載されて、該メインスライドカムのスライド方向に対して所定の角度に傾斜された方向へスライドされるサブスライドカムと、メインスライドカムをスライダから引き離す方向へスライド付勢する第１の付勢手段と、サブスライドカムをメインスライドカムに対する初期位置へスライド付勢する第２の付勢手段と、サブスライドカムのスライド方向に沿って、該サブスライドカムに形成されたラックであって、ピニオンが係合、離脱可能なラックと、メインスライドカムのスライド方向に対して傾斜された状態で、該メインスライドカムに形成されたカム溝と、ディスク押出し手段の支持手段に設けられてサブスライドカムの前記ラックをスライダのピニオンに対する非係合位置から係合位置へ第２の付勢手段に抗して移動制御すると共に、メインスライドカムのカム溝内へ第１の付勢手段に抗して出し入れされるカム従動ピンとを備えていることを最も主要な特徴とするものである。
【０００９】
従って、このディスクドライブ装置によれば、構造の簡素化等を図ることができる。
【発明を実施するための最良の形態】
【００１０】
図１〜図３１は、本発明のディスクドライブ装置の一例である光ディスクドライブ装置１の最良の形態を説明するものであり、この光ディスクドライブ装置１は、特に、ＣＤ−Ｒ、ＤＶＤ−Ｒ等の記録系の裸のディスクである光ディスクであって、直径が８ｃｍ等の小径の光ディスク２と、直径が１２ｃｍ等の大径の光ディスク３との２種類のディスクをスロットイン方式で選択的にローディング・イジェクトすることが可能なローディング機構４を備えている。
【００１１】
その際、このローディング機構４は２スイッチ、１モータの簡易構造に構成されていること。小径の光ディスク２と大径の光ディスク３とを選択的にイジェクトする際に、これらの中心孔２ａ、３ａが光ディスクドライブ装置１のフロントパネル１ａより外方へ露出された状態で、これらの中心孔２ａ、３ａが互いに重なり合う位置まで排出する機構を備えていること等の特徴を有している。
更に、この光ディスクドライブ装置１内には、この光ディスクドライブ装置１の薄型化を可能にするディスククランプ機構５が備えられている。
【００１２】
以下に、この光ディスクドライブ装置１の詳細を説明する。
始めに、図１及び図２の一部切欠き平面図及び底面図や図４の一部切欠き側面図に示されているように、この光ディスクドライブ装置１の外筐７は合成樹脂や金属等にて形成されたシャーシ８の外周を囲繞する板金等にて形成されていて、特に、この外筐７の側面形状は長方形状に構成されている。
【００１３】
そして、この光ディスクドライブ装置１の高さ（厚み）はＴ＝３６．９ｍｍの薄型に構成されている。ちなみに、この光ディスクドライブ装置１の最大横幅はＷ＝１７８．６ｍｍに構成され、最大奥行きはＤ＝１８１．０ｍｍに構成されている。
【００１４】
次に、図１及び図４等に示されているように、外筐７のフロントパネル７ａにはディスク出入用スロット１１が水平状に開口されている。このディスク出入用スロット１１は大径の光ディスク３の直径に見合う長さに形成されていて、そのディスク出入用スロット１１の上下には一対のスカート部１２が取り付けられている。なお、このスカート部１２は適度な摩擦力と適度な弾性を有する素材で構成されていて、このディスク出入用スロット１１内に矢印ａ、ｂ方向から水平状に出し入れされる小径の光ディスク２又は大径の光ディスク３の上下を弾性的に保持することができるように構成されている。
【００１５】
次に、図１、図２、図４、図１１、図１６等に示されているように、外筐７内におけるディスク出入用スロット１１の中央の奥位置にスピンドルモータ１３が上向きの垂直状に配置されていて、このスピンドルモータ１３は光ピックアップユニットベース１５の前端側の中央部の上部に垂直状に搭載されていて、その光ピックアップユニットベース１５はシャーシ８の最も低い位置に複数個のインシュレータ９を介して水平状に搭載されている。そして、このスピンドルモータ１３の上向きのスピンドル１３ａの外周にはターンテーブル１４が水平状に固着されていて、そのターンテーブル１４の中央部には円錐台形状のセンターリング用ボス１４ａが一体に形成されている。
【００１６】
そして、光ピックアップユニットベース１５の上部で、スピンドルモータ１３より後方側の上部には、小径及び大径の光ディスク２、３の下面の記録面に映像その他の情報を記録、再生するためのピックアップ手段である対物レンズ１６ａを備えた光ピックアップユニット１６が搭載されている。そして、対物レンズ１６ａは光ピックアップユニットベース１５のスピンドルモータ１３より後方側に形成された開口部１５ａ内に水平状に配置されたスレッド１７内の中央部に上向きの垂直状に組み込まれている。そして、そのスレッド１７は光ピックアップユニットベース１５の上部で、開口部１５ａの両側部に平行な水平状に搭載されたガイド主軸１８及びガイド副軸１９によって案内され、スレッドモータ２０によって回転制御されるリードスクリュ２１によって小径及び大径の光ディスク２、３の半径方向である矢印ａ、ｂ方向へシーク送りされるように構成されている。
【００１７】
次に、図１、図４〜図６等に示されているように、外筐７内のフロントパネル７ａ側に接近された位置にシャッタ２３が配置されている。このシャッタ２３は左右一対の支点２４によってシャーシ８の高い位置に回転自在に取り付けられて、後述するスライドカム機構によって上下方向である矢印ｃ、ｄ方向に開閉自在に構成されている。
そして、図１、図５、図６等に示されているように、外筐７内のシャッタ２３より後方位置に後述するディスククランプ機構４が配置されている。
【００１８】
次に、図１〜図３１によって、ローディング機構４を説明する。
始めに、図１、図４、図７等に示すように、このローディング機構４には、前後一対のディスクローディング手段の回転手段であるサブ回転ローラ３１及びメイン回転ローラ３２と、前後一対のディスクローディング手段の非回転手段であるサブ非回転ローラ３３及びメイン非回転ローラ３４と、左右一対のディスク押出し手段の非回転ローラである押出し用非回転ローラ３５、３６とが用いられている。なお、サブ回転ローラ３１とサブ非回転ローラ３３がほぼ同一直径で小径のローラに構成され、メイン回転ローラ３２とメイン非回転ローラ３４がほぼ同一直径で大径のローラに構成され、押出し用非回転ローラ３５、３６が最も小径のローラに構成されている。
【００１９】
そして、サブ回転ローラ３１とサブ非回転ローラ３３が外筐７内におけるディスク出入用スロット１１に最も接近された前側位置で、小径及び大径の光ディスク２、３のローディングセンターＰ１に対する左右対称位置に配置されている。また、メイン回転ローラ３２とメイン非回転ローラ３４がサブ回転ローラ３１及びサブ非回転ローラ３３とターンテーブル１４との中間位置で、ローディングセンターＰ１に対する左右対称位置に配置されている。なお、サブ回転ローラ３１とサブ非回転ローラ３３との左右方向の間隔に比べてメイン回転ローラ３２とメイン非回転ローラ３４との左右方向の間隔が若干（数ｍｍ分）広く構成されている。
【００２０】
また、左右一対の押出し用非回転ローラ３５、３６はターンテーブル１４より若干後方へ偏位された位置で、ローディングセンターＰ１に対する左右対称位置に配置されている。そして、この左右一対の押出し用非回転ローラ３５、３６の左右方向の間隔が最も小さく構成されている。
【００２１】
一方、図１、図３、図７、図１６等に示すように、外筐７内におけるシャーシ８のディスク出入用スロット１１に近接された低い位置の上部に左右一対のスライダであるメインスライダ３７とサブスライダ３８が水平状に配置されている。そして、これらメインスライダ３７とサブスライダ３８はシャ−シ８に形成された左右方向に延びる左右各一対のガイド溝３９、４０内にそれぞれ各一対のガイドピン４１、４２によって係合されている。従って、これらメインスライダ３７とサブスライダ３８は各一対のガイド溝３９、４０によって案内されて左右方向である矢印ｅ、ｆ方向及び矢印ｇ、ｈ方向に水平のままスライドできるように構成されている。
【００２２】
そして、これらメインスライダ３７とサブスライダ３８の前後方向からの対向部に矢印ｅ、ｆ方向及び矢印ｇ、ｈ方向と平行状に形成された一対のラック４３、４４がシャーシ８上に垂直状の支軸４５ａを介して回転自在に取り付けられた１つのピニオン４５の前後両側に噛合されていて、これら一対のラック４３、４４とピニオン４５とによってメインスライダ３７とサブスライダ３８を矢印ｅ、ｆ方向と矢印ｇ、ｈ方向の互いに反対方向へ移動させる連動機構４６が構成されている。そして、これらメインスライダ３７とサブスライダ３８はこれらに形成された一対のバネ係止部４７、４８間に架け渡された移動付勢手段である１本の引張りコイルバネからなる戻しバネ（コイルスプリング）４９によって互いに反対方向である図７で矢印ｅ、ｇ方向に相互に移動付勢されている。
【００２３】
従って、一対のラック４３、４４とピニオン４５とからなる連動機構４６による同期機能と戻しバネ４９による復帰機能とによって、メインスライダ３７とサブスライダ３８は矢印ｅ、ｆ方向と矢印ｆ、ｈ方向とに左右対称状に、かつ、左右同じストロークでスライドされるように構成されている。
【００２４】
また、図７〜図１０等に示すように、サブ回転ローラ３１とメイン回転ローラ３２がメインスライダ３７の矢印ｆ方向側の端部における前後２箇所の上部にそれぞれ垂直状の支軸３１ａ、３２ａを介して回転自在で、水平状に取り付けられていて、サブ非回転ローラ３３とメイン非回転ローラ３４がサブスライダ３８の矢印ｈ方向側の端部における前後２箇所の上部にそれぞれ垂直状の支軸３３ａ、３４ａを介して回転自在で、水平状に取り付けられている。そして、サブ回転ローラ３１、メイン回転ローラ３２、サブ非回転ローラ３３、メイン非回転ローラ３４及び一対の押出し用非回転ローラ３５、３６の合計６個のローラは同じ高さ位置に配置されている。
【００２５】
そして、１個の駆動モータ５１がメインスライダ３７上に水平に搭載され、そのモータ軸５１ａに固着されたウォーム５２と、メインスライダ３７上に垂直状の支軸５３ａを介して回転自在に取り付けられたウォームホイール５３とによるウオーム歯車装置は、駆動モータ５１からサブ回転ローラ３１、メイン回転ローラ３２及びピニオン７２へ回転力を伝達する一方、これらサブ回転ローラ３１、メイン回転ローラ３２及びピニオン７２の自由回転転を防止する自由回転防止機構５４が構成されている。
【００２６】
そして、メイン回転ローラ３２とサブ回転ローラ３１の下部にはそれぞれ小径のギア３２ｂ、３１ｂが一体に形成されている。
一方、図１６〜図２４で詳細を記述するように、この光ディスクドライブ装置１には、挿入された光ディスクが小径の光ディスク２であるか、或いは大径の光ディスク３であるかを機械的に判別して制御するための機械的な制御御機構７１が組み込まれている。なお、この制御機構７１には後述する第１制御機構７１Ａと第２制御機構７１Ｂが備えられている。
【００２７】
そして、図２、図４、図７及び図８等に示されているように、その機械的な制御機構７１に用いられているピニオン７２がメインスライダ３７の矢印ｆ方向側の端部の下部位置で、メイン回転ローラ３２と図２の矢印ａ方向側におけるほぼ同位相の位置に垂直状の支軸７２ａを介して回転自在に取り付けられている。
【００２８】
そして、図７及び図８に示すように、メインスライダ３７の上部及び下部にそれぞれ支軸５６ａを介して垂直状に取り付けられた複数個のアイドラ５６によってウォームホイール５３がメイン回転ローラ３２とサブ回転ローラ３１とピニオン７２とに連動されている。従って、駆動モータ５１によるウォーム５２の正逆回転駆動によって、ウォームホイール５３がメイン回転ローラ３２とサブ回転ローラ３１とピニオン７２とを同時に正逆回転駆動するように構成されている。
【００２９】
この際、後述するように、メイン回転ローラ３２とサブ回転ローラ３１は同方向に正逆回転駆動され、ピニオン７２はメイン回転ローラ３２に対する反対方向へ正逆回転駆動されるように構成されている。
【００３０】
次に、図８に示すように、メイン回転ローラ３２とサブ回転ローラ３１は、それぞれ下方に至るに従って小径となる上部円錐ローラ部３２Ａ、３１Ａと、下方に至るに従って大径となる下部円錐ローラ部３２Ｂ、３１Ｂと、これらの中間部に配置された円形凹部３２Ｃ、３１Ｃとによってほぼ鼓型ローラに形成されている。そして、上部円錐ローラ部３２Ａ、３１Ａ及び下部円錐ローラ部３２Ｂ、３１Ｂが合成樹脂等にて成形されていて、中間部の円形凹部３２Ｃ、３１Ｃがゴムや軟質合成樹脂等の弾性部材３２Ｄ、３１Ｄで構成されている。そして、メイン回転ローラ３２の下部円錐ローラ部３２Ｂがサブ回転ローラ３１の下部円錐ローラ部３１Ｂより下方へ延長されていることによって、メイン回転ローラ３２の最大直径がサブ回転ローラ３１の最大直径より大きく構成されている。
【００３１】
また、図９に示すように、メイン非回転ローラ３４とサブ非回転ローラ３３は、それぞれ下方に至るに従って小径となる上部円錐ローラ部３４Ａ、３３Ａと、下方に至るに従って大径となる下部円錐ローラ部３４Ｂ、３３Ｂと、これらの中間部に配置された非円形凹部３４Ｃ、３３Ｃとによってほぼ鼓型ローラに形成されている。そして、上部円錐ローラ部３４Ａ、３３Ａ及び下部円錐ローラ部３４Ｂ、３３Ｂが合成樹脂等にて成形されていて、中間部の非円形凹部３４Ｃ、３３Ｃがゴム等の弾性部材によってほぼおむすび形に構成されている。
【００３２】
そして、これらメイン非回転ローラ３４及びサブ非回転ローラ３３はこれらの下部円錐ローラ部３４Ｂ、３３Ｂの下端から下方へ延長された固定用アーム部３４Ｅ、３３Ｅによってサブスライダ３８上の固定用ボス５８、５９に嵌合されて、非回転のローラに構成されている。
【００３３】
従って、これら非回転のローラに構成されているメイン非回転ローラ３４及びサブ非回転ローラ３３の上下両円錐ローラ部３４Ａ、３４Ｂ及び３３Ａ、３３Ｂは完全な円錐形状に構成する必要がないことから、後述する光ディスク２、３のローディング及びイジェクト時に、これらメイン非回転ローラ３４及びサブ非回転ローラ３３が接触する側とは反対側にて、例えばこれらの下部円錐ローラ部３４Ｂ、３３Ｂを非円錐形状にカットしている。
【００３４】
また、これらメイン非回転ローラ３４の下部円錐ローラ部３４Ｂがサブ非回転ローラ３３の下部円錐ローラ部３３Ｂより下方へ延長されていることによって、メイン非回転ローラ３４の最大直径がサブ非回転ローラ３３の最大直径（半径）より大きく構成されている。
【００３５】
次に、図１、図１０、図１６等に示すように、左右一対の押出し用非回転ローラ３５、３６はそれぞれ支持手段である左右一対の押出しアームであるところのメイン押出しアーム６１とサブ押出しアーム６２の先端６１ａ、６２ａに支軸３５ａ、３６ａによって固着又は回転可能に取り付けられている。そして、これらメイン押出しアーム６１とサブ押出しアーム６２は図１等に示すように外筐７内のシャーシ８の後方側における高い位置に左右一対の支点６３、６４を介して対称方向である矢印ｉ、ｊ方向に揺動（回動）自在に取り付けられている。なお、これらメイン押出しアーム６１及びサブ押出しアーム６２はこれらの中間部に形成された円弧状孔と、その円弧状の孔６５内で移動されるピン６６とからなる連動（同期）構造によって相互に連動（同期）されて矢印ｉ、ｊ方向に対称状に揺動されるように構成されている。
【００３６】
そして、これら一対の押出し用非回転ローラ３５、３６は下方へ至るに従って直径が次第に小さくなる上部円錐ローラ部３５Ａと、下方へ至るに従って直径（半径）が次第に大きくなる下部円錐ローラ部３５Ｂ、３６Ｂと、これらの中間部に水平状に形成された円形凹部３５Ｃ、３６Ｃとによってほぼ鼓型に形成されている。
【００３７】
但し、下部円錐ローラ部３５Ｂ、３６Ｂは合成樹脂で成形されたメイン押出しアーム６１とサブ押出しアーム６２の先端６１ａ、６２ａに一体成形されている。
また、サブ押出しアーム６２とシャーシ８との間に架け渡された移動付勢手段である戻しバネ（コイルスプリング）６７によってサブ押出しアーム６２が支点６４を中心に水平面内で矢印ｊ方向へ回動付勢されることによって、円弧状の孔６５とピン６６とからなる連動構造を介してメイン押出しアーム６２も矢印ｊ方向へ回動付勢されるように構成されている。
【００３８】
そして、以上のように構成されているメイン回転ローラ３２、サブ回転ローラ３１、メイン非回転ローラ３４、サブ非回転ローラ３３、押出し用非回転ローラ３５、３６の円形凹部３２Ｃ、３１Ｃ、非円形凹部３４Ｃ、３３Ｃ及び円形凹部３５Ｃが外筐７のフロントパネル７ａに水平状に形成されているディスク出入用スロット１１と同一高さに設定されている。
【００３９】
次に、図２、図１６〜図３１によって、制御機構７１について説明する。
この制御機構７１は、図２、図４、図１４〜図１８等に示されているように、外筐７内の図２で右側（図１では左側）に偏位された位置（図２に示されたメインスライダ３７のスライド方向である矢印ｆ方向側の端部）で、かつ、メインスライダ３７の後方側（矢印ａ方向側へ偏位された位置に配置されて、シャーシ８の最も低い位置の上部に水平状に組み込まれている。
【００４０】
特に、図１７〜図２４に示すように、この制御機構７１には、大型のスライド板であるメインスライドカム７６と小型のスライド板であるサブスライドカム７７とが使用されている。そして、メインスライドカム７６がシャーシ８の上部に水平状に載置され、複数のガイドピン７９とガイド溝８０によって案内されて前述したメインスライダ３７のスライド方向である矢印ｅ、ｆ方向に対する直角な方向である矢印ｋ、ｍ方向へスライド自在に取り付けられている。なお、このメインスライドカム７６はシャーシ８との間に架け渡された第１の付勢手段である戻しバネ（コイルスプリング）８１によって矢印ｋ方向の後述する原位置までスライド付勢されている。
【００４１】
また、サブスライドカム７７がメインスライドカム７６の矢印ｍ方向側（前述したメインスライダ３７に近い側）の上部に水平状に載置され、このサブスライドカム７７がメインスライドカム７６上で複数のガイドピン８２とガイド溝８３によって案内されて矢印ｎ、ｏ方向へスライド自在に取り付けられている。但し、図１７に示すように、このサブスライドカム７７はメインスライドカム７６のスライド方向である矢印ｋ、ｍ方向に対して所定の角度θ１に傾けられた矢印ｎ、ｏ方向へスライドされるように構成されている。そして、このサブスライドカム７７はメインスライドカム７６との間に架け渡された第２の付勢手段である戻しバネ（コイルスプリング）８４によってメインスライドカム７６上の後述する原位置まで矢印ｎ方向へスライド付勢されている。
【００４２】
次に、メインスライドカム７６とサブスライドカム７７との間でメインスライダ３７側へ偏位された位置には、小径（８ｃｍ）の光ディスク２と大径（１２ｃｍ）の光ディスク３とに対応して、メインスライダ３７の矢印ｆ方向へのスライドストロークを制御するための第１制御機構（カム構造）７１Ａが設けられている。
【００４３】
この第１制御機構７１Ａは、メインスライドカム７６に平行に形成された第１、第２カム溝９２、９３及びこれら第１、第２カム溝９２、９３の矢印ｍ方向側の端部間を連結する連結溝９４と、サブスライダ７７に平行に形成された第１、第２ラック８５、８６とを備えている。
【００４４】
そして、第１、第２カム溝９２、９３と第１、第２ラック９６はそれぞれメインスライダ３７のスライド方向である矢印ｆ、ｅ方向に間隔を隔てて形成されていて、しかも、これら第１、第２カム溝９２、９３は共にメインスライドカム７６のスライド方向である前述した角度θ１の傾きを有している。なお、連結溝９４はメインスライダ３７のスライド方向である矢印ｅ、ｆ方向と平行状に形成されていて、その連結溝９４の矢印ｅ方向側の端部には、この第１制御機構７１Ａの組み付け時にピニオン７２の支軸７２ａの下端をこの連結溝９４内に矢印ｆ方向から挿入するための開放部９４ａが形成されている。
また、第１、第２ラック９５、９６も同様に矢印ｋ、ｍ方向に対して前述した角度θ１の傾きを有している。
【００４５】
そして、メインスライダ３７の矢印ｆ方向側の下部に配置されているピニオン７２の下方に突出されている支軸７２ａの下端がメインスライダ３７と一体に連結溝９４内を矢印ｅ、ｆ方向に自由に移動することができるように構成されている。また、この支軸７２ａの下端は、連結溝９４内から第１、第２カム溝９２、９３内へ矢印ｎ、ｏ方向へ選択的に出入りすることができるように構成されている。
また、第１、第２ラック９５、９６がピニオン７２に対して矢印ｏ、ｎ方向に選択的に係合・離脱自在に構成されている。
【００４６】
次に、メインスライドカム７６と、サブスライドカム７７との間で、メインスライダ３７側とは反対側へ偏位された位置には、小径（８ｃｍ）の光ディスク２と大径（１２ｃｍ）の光ディスク３とに対応して、メイン押出しアーム６１及びサブ押出しアーム６２の矢印ｉ方向の揺動（回動）ストロークを制御するための第２制御機構（カム構造）７１Ｂが設けられている。
【００４７】
この第２制御機構７１Ｂは、メインスライドカム７６に平行に形成された第１、第２カム溝１０２、１０３と、これら第１、第２カム溝１０２、１０３の矢印ｍ方向側の端部間を連結する円弧状溝１０４と、前述したメイン押出しアーム６１の他端６１ｂの下部に垂直状に設けられて、第１、第２カム溝１０２、１０３及び円弧状溝１０４間をスライドされるカム従動ピン１０５とによって構成されている。
【００４８】
この際、第１、第２カム溝１０２、１０３はメインスライダ３７のスライド方向である矢印ｅ、ｆ方向に間隔を隔てて平行状に形成され、かつ、メインスライドカム７６のスライド方向である矢印ｋ、ｍ方向に対して極く小さな角度θ２の傾きを有して、前述した第１、第２カム溝９２、９３の傾き方向とは反対側へ傾けられている。
【００４９】
また、円弧状溝１０４の曲率半径はメイン押出しアーム６１の支点６３を中心として揺動（回動）されるカム従動ピン１０５の回転半径に一致されている。そして、この円弧状溝１０４の一端部１０４ａが第２カム溝１０３より矢印ｊ方向側へ突出されている。
【００５０】
そして、サブスライドカム７７の矢印ｎ方向側の端部７７ａがメインスライドカム７６のスライド方向である矢印ｋ、ｍ方向に対して直角に形成されていて、その端部７７ａの一側部であるメイン押出しアーム６１側には、円弧状溝１０４の外周縁と平行な円弧状に切り欠かれた円弧状切欠き１０６が形成されている。
【００５１】
また、メインスライドカム７６の上部で、やや矢印ｆ方向側へ偏位された位置で、矢印ｍ方向側と矢印ｋ方向側の２箇所には、前述したシャッタ２３を開閉制御するためのシャッタ開閉制御用カム１１１と、ディスククランプ機構１３１のクランプアーム１３２を回転制御するためのクランプアーム回動制御用カム１１３が矢印ｋ、ｍ方向と平行状に形成されている。
【００５２】
次に、図２及び図３に示すように、この機械的な制御機構７１には、第１スイッチ１２１と第２スイッチ１２２の２つの制御用スイッチが使用されている。
そして、第１スイッチ１２１はスイングタイプ（揺動式）のアクチュエータ１２１ａを備え、第２スイッチ１２２はプッシュタイプ（押込み式）のアクチュエータ１２２ａを備えていて、これら第１スイッチ１２１及び第２スイッチ１２２は共に前述したメインスライダ３７の下面で、外筐７のフロントパネル７ａ側に近接された位置に取り付けられている。
【００５３】
この際、第１スイッチ１２１のスイングタイプのアクチュエータ１２１ａは外筐７のフロントパネル７ａ側（矢印ｂ方向側）に向けられていて、そのフロントパネル７ａの内側に沿って矢印ｅ、ｆ方向と平行に形成されたスイッチ作動部である扁平な台形型のスイッチ作動用カム１２３における低所部１２３ａと、高所部１２３ｂと、低所部１２３ｃとの間を上下方向である矢印ｐ、ｑ方向にスイングしながら矢印ｅ１、ｆ１方向へ往復動されるように構成されている。
【００５４】
また、第２スイッチ１２２のプッシュタイプのアクチュエータ１２２ａは前述したメインスライドカム７６の矢印ｍ方向側の端部７６ａの矢印ｋ、ｍ方向のスライド領域内へ矢印ｋ方向から挿入された状態に配置されていて、その端部７６ａによってプッシュ動作されるように構成されている。
【００５５】
なお、図１４及び図１５に示すように、シャッタ２３は支点２４を中心に上下方向等である矢印ｃ、ｄ方向へ回動自在に構成されていて、シャーシ８との間に架け渡された戻しバネ（コイルスプリング）２５によって上方等である矢印ｃ方向へ回動付勢されている。
【００５６】
そして、このシャッタ２３にアーム２３ａを介して回転自在に知り付けられたカム従動ローラ２６が前述した制御機構７１におけるメインスライドカム７６上のシャッタ開閉制御用カム１１１によって矢印ｃ、ｄ方向へ移動制御されるように構成されている。
【００５７】
また、図１、図５、図６、図７、図１４〜図１６に示すように、外筐７内の奥位置（リアパネル７ｂ側）にディスククランプ機構１３１が組み込まれている。
そして、このディスククランプ機構１３１は、クランプアーム１３２がシャーシ８の高所部に支点１３３を中心として上下方向等である矢印ｒ、ｓ方向に回動自在に支持されていて、このクランプアーム１３２の先端１３２ａにクランパ１３４が遊びを有する状態で回転自在に支持されている。そして、このクランプアーム１３２はシャーシ８との間に架け渡された移動付勢手段でる戻しバネ（コイルスプリング）１３５によって下方等である矢印ｓ方向へ回動付勢されている。
【００５８】
そして、このクランプアーム１３２にアーム１３２ｃを介して回転自在に取り付けられたカム従動ローラ１３６が前述した制御機構７６におけるメインスライドカム７６上のクランプアーム回動制御用カム１１３によって矢印ｒ、ｓ方向へ移動制御されるように構成されている。
【００５９】
ここで、本発明の光ディスクドライブ装置１における小径の光ディスク２と大径の光ディスク３とのスロットイン方式による選択的なローディング・イジェクトの動作の概要について説明する。
【００６０】
始めに、図１は小径の光ディスク２と大径の光ディスク３のローディング位置とイジェクト位置を示したものである。
ローディング時には、後述するように、ディスク出入用スロット１１から光ディスクドライブ装置１内に矢印ａ方向へ水平等に選択的に引き込まれた小径の光ディスク２と大径の光ディスク３と２点鎖線で示すように、水平等のまま下降等されて、スピンドルモータ１３のターンテーブル１４上に水平等にクランプ（チャッキング）される。
【００６１】
一方、イジェクト時には、後述するように、小径の光ディスク２と大径の光ディスク３が光ディスクドライブ装置１内からディスク出入用スロット１１外へ水平等に矢印ｂ方向へ選択的に押し出されるが、この際、実線と１点鎖線で示すように、小径の光ディスク２と大径の光ディスク３の押出しストロークＳ１とＳ２が調整されて、これら光ディスク２、３の中心孔２ａ、３ａがフロントパネル１１外へほぼ同じストロークＳ０だけ押し出されて、これら中心孔２ａ、３ａがフロントパネル１１外のディスクセンターＰ０上にほぼ重なるように構成されている。
【００６２】
従って、この選択的にイジェクトされた小径の光ディスク２と大径の光ディスク３をユーザが例えば右手等で摘んでディスク出入用スロット１１外へ矢印ｂ方向に抜き取る際には、図１に１点鎖線と点線で示すように、小径の光ディスク２と大径の光ディスク３の中心孔２ａ、３ａ内にその右手等の人差し指を挿入し、これらの外周をその右手等の親指で挟み付けるように把持して、その小径の光ディスク２と大径の光ディスク３を右手等にて選択的に抜き取ることができる。
なお、この小径の光ディスク２と大径の光ディスク３をディスク出入用スロット１１内へ矢印ａ方向から選択的に挿入する際にも、これらの光ディスク２、３を右手等にて上記同様に把持して挿入することができる。
【００６３】
従って、ユーザが小径の光ディスク２や大径の光ディスク３を手指で摘んでディスク出入用スロット１１に矢印ａ、ｂ方向から選択的に出し入れする際、小径の光ディスク２及び大径の光ディスク３の何れの場合でも、これらの下面であるデータ記録面に手指の指紋等を不用意に付けてしまい、後のデータ記録、再生に故障を生じるような不都合を未然に防止することができる利点を得ることができる。
【００６４】
次に、図１〜図１６を参照して、小径の光ディスク２と大径の光ディスク３の選択的なローディング・イジェクトの動作の概要を説明する。
【００６５】
始めに、光ディスク２、３の挿入前の初期状態では、図１、図２、図７、図１６等に実線で示すように、メインスライダ３７とサブスライダ３８が戻しバネ４９によって互いに反対方向である矢印ｅ、ｇ方向にスライドされて、これらが共に初期位置Ｐ１１へ復帰されている。そして、これらメインスライダ３７とサブスライダ３８上に搭載されているメイン回転ローラ３２及びサブ回転ローラ３１と、メイン非回転ローラ３４及びサブ非回転ローラ３３が初期位置Ｐ２１に復帰されている。
【００６６】
また、この初期状態では、図１６に実線で示すように、制御機構７１のメインスライドカム７７が初期位置Ｐ３１まで戻しバネ８１によって矢印ｋ方向へスライドされていて、メイン押出しアーム６１及びサブ押出しアーム６２を介して一対の押出し用非回転ローラ３５、３６も初期位置Ｐ４１に復帰されている。
【００６７】
一方、図４及び図１４に示すように、シャッタ２３が支点１１１を中心に上方等である矢印ｃ方向の開位置まで回動されて、ディスク出入用スロット１１の後方が開放されている。
また、図４及び図１４に示すように、クランプアーム１３２も支点１３３を中心に矢印ｒ方向のクランプ解除位置まで回動されている。
［大径の光ディスクのローディング動作］
【００６８】
次に、大径の光ディスク３がディスク出入用スロット１１から光ディスクドライブ装置１内へ図１で１点鎖線で示す位置まで、矢印ａ方向から、図４に示すように水平等に挿入されると、この光ディスク３の外周がローディングセンターＰ１に対する左右対称位置に配置されているサブ回転ローラ３１とサブ非回転ローラ３３に矢印ａ方向から押圧されて、これらサブ回転ローラ３１とサブ非回転ローラ３３が初期位置Ｐ２１から矢印ｆ、ｈ方向へスライドされる。
【００６９】
なお、この時、図１４に示すように、大径の光ディスク３はディスク出入用スロット７ａに付設されている上下一対のスカート部１２をその弾性に抗して上下に押し広げながら挿入される。また、この時、大径の光ディスク３はサブ回転ローラ３１とサブ非回転ローラ３３の円形凹部３１ｃと非円形凹部３３ｃ内に矢印ａ方向から挿入される。
【００７０】
そして、図１及び図７に１点鎖線で示すように、メインスライドカム３７とサブスライドカム３８が一対のラック４３、４４とピニオン４５からなる連動機構４６によって初期位置Ｐ１からスライド位置Ｐ２まで戻しバネ４９に抗して互いに反対方向である矢印ｆ、ｈ方向へスライドされる。
【００７１】
すると、１個の駆動モータ５１が正回転駆動され、この駆動モータ５１の正回転駆動によって、図７に示されたウォーム５２及びウォームホイール５３からなる自由回転防止機構５４と、複数のアイドラ５６を介してサブ回転ローラ３１とメイン回転ローラ３２がディスク引込み方向である矢印Ａ１方向へそれぞれ回転駆動されると共に、ピニオン７２が矢印Ｂ１方向へ回転駆動される。
【００７２】
この結果、図８及び図９に示されているサブ回転ローラ３１とメイン回転ローラ３２の円形凹部３１Ｃ、３２Ｃのゴム等の弾性部材３１Ｄ、３２Ｄによる高摩擦の回転力と、サブ非回転ローラ３３及びメイン非回転ローラ３４の非円形凹部３３Ｃ、３４Ｃのゴム等の弾性部材３３Ｄ、３４Ｄによる高摩擦の滑り止め力との相互作用によって大径の光ディスク３の外周の一側部に矢印ａ方向への引込み力が順次作用することから、大径の光ディスク３の外周の他側部がサブ非回転ローラ３３とメイン非回転ローラ３４の非円形凹部３３Ｃ、３４Ｃ上を矢印ａ方向へ順次乗り移るようにして、図１に示すように、この大径の光ディスク３全体が矢印Ｃ１方向へ回動されながら、この大径の光ディスク３がローディングセンターＰ１に沿って光ディスクドライブ装置１内のターンテーブル１４の真上位置まで図１で２点鎖線で示すと共に、図５に実線で示すように矢印ａ方向へ自動的に引き込まれる。
【００７３】
なお、この時、図５に示すように、大径の光ディスク３は矢印ｃ方向及び矢印ｒ方向に開放されているシャッタ２３及びクランプアーム１３２の下部を矢印ａ方向に引き込まれる。
【００７４】
また、この引き込まれる大径の光ディスク３の外周の前側が、図１に点線で示すと共に、図４に示すように、一対の押出し用非回転ローラ３５、３６の円形凹部３５Ｃ、３６Ｃに矢印ａ方向から押圧されることから、メイン押出しアーム６１及びサブ押出しアーム６１がそれぞれ支点６３、６４を中心に図１４で矢印ｉ方向へそれぞれ戻しバネ６７、６８に抗して図１及び図４に示す初期位置Ｐ４１から図５及び図１１に実線で示す押込み完了位置Ｐ４２まで矢印ａ方向に押し込まれる。
【００７５】
以上により、光ディスクドライブ装置１内への大径の光ディスク３の矢印ａ方向への自動引込み動作が終了し、その自動引込み動作の終了時点では、大径の光ディスク３はターンテーブル１４の真上位置に到達し、かつ、その大径の光ディスク３の中心孔３ａのセンターがターンテーブル１４の円錐台形状のセンターリング用ボス１４ａのセンタ−に一致される。
【００７６】
一方、この大径の光ディスク３の矢印ａ方向への引込み時には、メイン回転ローラ３２とメイン非回転ローラ３３は、大径の光ディスク３の外周における最大直径部分を矢印ｂ方向へ相対的に通過する。
【００７７】
このために、図７、図１１及び図１２に示すように、これらメイン回転ローラ３２とサブ非回転ローラ３３は、それぞれ、メインスライダ３７及びサブスライダ３８と一緒に初期位置Ｐ２１から一度、最大直径相当位置Ｐ２３まで戻しバネ４９に抗して矢印ｆ、ｈ方向へ押し出された後に、戻しバネ４９によって矢印ｅ、ｇ方向へストロークＳ１だけ引き戻されて引込み完了位置Ｐ２４で停止されることによって、これらメイン回転ローラ３２とメイン非回転ローラ３３が大径の光ディスク３の外周位置で、一対の押出し用非回転ローラ３５、３６に対する反対側の位置へ設定される。
【００７８】
従って、図５、図１１及び図１２に実線で示すように、ターンテーブル１４の真上位置まで矢印ａ方向へ自動的に引き込まれた大径の光ディスク３の外周の４点がメイン回転ローラ３２、メイン非回転ローラ３４、一対の押出し用非回転ローラ３５、３６のそれぞれの円形凹部３２Ｃ、３４Ｃ、３５Ｃ、３６Ｃによって水平状に支持された状態を呈することになる。
【００７９】
次に、この後に、後述する機械的な制御機構７１によって、第１スイッチ１２１がＯＦＦされる一方、第２スイッチ１２２がＯＮされて駆動モータ５１が停止する直前に、図７、図１１及び図１２に１点鎖線で示すように、メインスライダ３７とサブスライダ３８が戻しバネ４９に抗して矢印ｆ、ｈ方向へスライド駆動されることによって、メイン回転ローラ３２とメイン非回転ローラ３４がそれぞれ引込み完了位置Ｐ２４から中間位置（ディスク離脱位置）Ｐ２３を通過してディスク離脱位置Ｐ２５までストロークＳ２だけ矢印ｆ、ｈ方向へ逃がされると同時に、一対の押出し用非回転ローラ３５、３６も押込み完了位置Ｐ４２からディスク離脱位置Ｐ４３まで戻しバネ６７、６８に抗してストロークＳ３だけ矢印ｉ方向へ逃がされて、これらメイン回転ローラ３２、メイン非回転ローラ３４及び一対の押出し用非回転ローラ３５、３６の相互間隔が拡大されて、これらの下部円錐ローラ部３２Ｂ、３４Ｂ、３５Ｂ及び３６Ｂが図１１及び図１２に１点鎖線で示すように大径の光ディスク３の外周より外側へ逃がされ、第２スイッチ１２２がＯＮし、駆動モータ５１が停止する。
【００８０】
すると、図１２に１点鎖線で示すように、大径の光ディスク３の外周が、その大径の光ディスク３の自重によってこれら下部円錐ローラ部３２Ｂ、３４Ｂ、３５Ｂ及び３６Ｂを下方へすべり落ちるようにして、この大径の光ディスク３が図５に実線で示す引込み位置から図５に１点鎖線で示すターンテーブル１４へのクランプ位置（チャッキング位置）まで矢印ｔ方向へ平行に下降される。
【００８１】
しかも、これとほぼ同時に、後述するように、ディスククランプ機構１３１のクランプアーム１３２が図５に示すクランプ解除位置（上昇位置）から図６に示すクランプ位置（下降位置）まで矢印ｓ方向へ回転駆動されて、そのクランプアーム１３２の先端で支持されているクランパ１３４が大径の光ディスク３を矢印ｔ方向へ押圧する。
【００８２】
これにより、図６及び図１１に示すように、大径の光ディスク３の中心孔３ａがターンテーブル１４の中央のセンターリング用ボス１４ａの外周に挿入されて、ターンテーブル１４上にクランプ（チャッキング）されることになる。なお、図１２に１点鎖線で示すように、大径の光ディスク３がターンテーブル１４上に水平にクランプされた状態では、メイン回転ローラ３２、メイン非回転ローラ３４及び一対の押出し用非回転ローラ３５、３６の下部円錐ローラ部３２Ｂ、３４Ｂ、３５Ｂ及び３６Ｂは光ディスク２の外周から矢印ｆ、ｉ方向へ完全に離間される。
【００８３】
なお、これと同時に、図６に示すように、シャッタ２３が閉位置まで矢印ｄ方向へ回転駆動されて、この光ディスクドライブ装置１のフロントパネル７ａのディスク出入用スロット１１が内側から閉塞される。
【００８４】
そして、このシャッタ２３はディスク出入用スロット１１からの他の光ディスクの２重挿入や異物の挿入防止する。また、後の光ディスク３や２の高速回転駆動時に破損した光ディスク３や２がディスク出入用スロット１１外へ飛散して、ユーザへ危害を及ぼすようなことを未然に防止する。
【００８５】
以上により、大径の光ディスク３のローディング動作が終了する。
そして、この後に、光ディスクドライブ装置１に記録、再生のための指令信号が印加されると、スピンドルモータ１３によって大径の光ディスク３が回転駆動されると共に、図２及び図６に示すように、スレッドモータ２０によって正逆回転駆動されるリードスクリュ２１によって光ピックアップユニット１６のスレッド１７がガイド主軸１８とガイド副軸１９間で矢印ａ、ｂ方向にシークされ、光ピックアップユニット１６の対物レンズ１６ａによって大径の光ディスク３の下面に照射されるレーザビームによってその光ディスク３に映像信号等が記録、再生されることなる。
【００８６】
なお、このスピンドルモータ１３が大径の光ディスク３を回転駆動する際のイナーシャ等によって、現在ローディングされている光ディスクが大径の光ディスク３であるか、小径の光ディスク２であるかのディスク判別（識別）が自動的に行われる。
［大径の光ディスクのイジェクト動作］
【００８７】
次に、大径の光ディスク３の記録、再生後に、光ディスクドライブ装置１にイジェクト指令信号が入力されると、１個の駆動モータ５１が逆回転されて、図７、図１１及び図１２に示すようにメイン回転ローラ３２とメイン非回転ローラ３４がそれぞれメインスライダ３７及びサブスライダ３８と一緒にディスク離脱位置Ｐ２５から引込み完了位置Ｐ２４まで矢印ｅ方向へ移動されると共に、図１１に示すように、一対の押出し用非回転ローラ３４、３５も戻しバネ６７、６８のバネ力によってディスク離脱位置Ｐ４３から押込み完了位置Ｐ４２まで矢印ｊ方向へ移動される。
【００８８】
すると、図５に示すように、クランプアーム１３２とシャッタ２３がそれぞれ矢印ｒ、ｃ方向へ開放されるのとほぼ同時に、図１２に示すように、大径の光ディスク３の外周の４点がメイン回転ローラ３２、メイン非回転ローラ３４及び一対の押出し用非回転ローラ３５、３６の下部円錐ローラ部３２Ｂ、３４Ｂ、３５Ｂ及び３６Ｂによって図１２に１点鎖線で示すクランプ位置（チャッキング位置）から実線で示す引込み完了位置まで矢印ｕ方向に平行に押し上げられる。
【００８９】
すると、１個の駆動モータ５１が逆回転駆動されて、図１及び図１１に示すように、メイン回転ローラ３１及びサブ回転ローラ３１がそれぞれ矢印Ａ２方向へ回転される。
そして、前述したローディング動作の逆の動作で、メイン回転ローラ３２及びサブ回転ローラ３１による大径の光ディスク３の矢印Ｃ２方向への回転駆動力と、一対の押出し用非回転ローラ３５、３６による矢印ｂ方向への押出し力と一対の押出し用非回転ローラ５５、５６の一対の戻しバネ６７、６８による押出し力との相互作用によって、図１に１点鎖線で示されている押出し位置まで、この大径の光ディスク３が光ディスクドライブ装置１のフロントパネル７ａのディスク出入用スロット１１からストロークＳ２だけ矢印ｂ方向へ押し出されて、駆動モータ５１が停止される。
この時、大径の光ディスク３の中心孔３ａがフロンとパネル７ａ外へストロークＳ０だけ矢印ｂ方向へ完全に押し出されて、ローディングセンターＰ１上の中心位置Ｐ０に位置決めされる。
【００９０】
この際、図８及び図９に示されているサブ回転ローラ３１とサブ非回転ローラ３３の円形凹部３１Ｃ、３３Ｃのゴム等の弾性部材３１Ｄ、３３Ｄによる高摩擦の保持力によってその大径の光ディスク３の外周の２点が矢印ｅ、ｇ方向から弾性的に保持された状態で、大径の光ディスク３が図１に１点鎖線で示されている押出し位置に停止されて、その押出し位置にそのまま保持される。
そして、このようにして押し出された大径の光ディスク３は図４に示されているディスク出入用スロット１１の上下一対のスカート部１２によって弾性的に、補助的に保持されることになる。
［小径の光ディスクのローディング・イジェクト動作］
【００９１】
なお、小径の光ディスク２のローディング・イジェクト動作も前述した大径の光ディスク３のローディング・イジェクト動作と同様に行われる。
即ち、図１に実線で示すように、ディスク出入用スロット１１から小径の光ディスク２が矢印ａ方向に挿入されて、サブ回転ローラ３１及びサブ非回転ローラ３３がメインスライダ３７及びサブスライダ３８と一緒に矢印ｆ、ｈ方向へ少しスライドされると、１個の駆動モータ５１が正回転駆動される。
【００９２】
すると、サブ回転ローラ３１とメイン回転ローラ３２が共に矢印Ａ１方向へ正回転駆動されて、小径の光ディスク２が図１に１点鎖線で示すと共に、図１３に実線で示すターンテーブル１４の真上位置まで小径の光ディスク２が左右一対の押出し用非回転ローラ３５、３６を矢印ｉ方向へ押し出しながら矢印ａ方向へ自動的に引き込まれる。
【００９３】
そして、この後に、駆動モータ５１が停止する直前に、図１３に示すように、メイン回転ローラ３２とメイン非回転ローラ３４が引込み完了位置Ｐ２４からディスク離脱位置Ｐ２５までストロークＳ２だけ矢印ｆ、ｈ方向へ移動されると同時に、一対の押出し用非回転ローラ３５、３６が押込み完了位置Ｐ４２からディスク離脱位置Ｐ４３までストロークＳ３だけ矢印ｉ方向へそれぞれ移動されて、小径の光ディスク２がターンテーブル１４上にクランプ（チャッキング）され、第２スイッチ１２２がＯＮし、駆動モータ５１が停止する。
【００９４】
そして、この小径の光ディスク２のローディング後にも、大径の光ディスク３と同様に、光ディスクドライブ装置１への記録、再生のための指令信号の印加によって、スピンドルモータ１３で小径の光ディスク２が回転駆動されると共に、その小径の光ディスク２の下面に照射されるレーザビームによって、その光ディスク２への映像信号等の記録、再生が行われる。そして、そのスピンドルモータ１３が小径の光ディスク２を回転駆動する際のイナーシャ等によって、現在ローディングされている光ディスクが大径の光ディスク３であるか、小径の光ディスク２であるかのディスク判別（識別）が自動的に行われる。
【００９５】
また、この小径の光ディスク２への映像信号等の記録、再生後のイジェクト時には、図１３に示すように、メイン回転ローラ３２とメイン非回転ローラ３４がディスク離脱位置Ｐ２５から引込み完了位置Ｐ２４まで矢印ｅ、ｇ方向へ移動されると共に、一対の押出し用非回転ローラ３５、３６もディスク離脱位置Ｐ４３から押込み完了位置Ｐ４２まで矢印ｊ方向へ移動されることによって、この小径の光ディスク２がターンテーブル１４の上方へ平行に上昇（離脱）される。
【００９６】
そして、この後に、１個の駆動モータ５１が逆回転駆動されて、メイン回転ローラ３２及びサブ回転ローラ３１が矢印Ａ２方向へ逆回転駆動されることによって、一対の押出し用非回転ローラ３５、３６による矢印ｊ方向への押出し作用との相互作用によって、小径の光ディスク２が図１に１点鎖線で示す引込み完了位置Ｐ２４から図１に実線で示すように、フロントパネル７ａのディスク出入用スロット１１からストロークＳ１だけ矢印ｂ方向に押し出されて、駆動モータ５１も停止する。
この時、小径の光ディスク２の中心孔２ａがフロンとパネル７ａ外へストロークＳ０だけ矢印ｂ方向へ完全に押し出されて、ローディングセンターＰ１上の中心位置Ｐ０に位置決めされる。
【００９７】
また、この際も、図８及び図９に示されているサブ回転ローラ３１とサブ非回転ローラ３３の円形凹部３１Ｃ、３３Ｃのゴム等の弾性部材３１Ｄ、３３Ｄによる高摩擦の保持力によってその小径の光ディスク２の外周の２点が矢印ｅ、ｇ方向から弾性的に保持された状態で、小径の光ディスク３が図１に実線で示されている押出し位置に停止されて、その押出し位置にそのまま保持される。
そして、その押し出された小径の光ディスク２も図４に示された上下一対のスカート部１２によって上下から弾性的に、補助的に保持される。
【００９８】
ここで、図１６〜図１８等に開示されている１モータ駆動方式の機械的な制御機構７１を図２、図３等に開示されている第１及び第２のスイッチ１２１、１２２によって制御することにより、小径と大径の２種類の光ディスク２、３を選択的にローディング・イジェクトするための制御動作を、図３２のタイムチャートを参照しながら、主として図１９〜図２５によって説明する。
［大径の光ディスク３のローディング時の制御動作］
【００９９】
始めに、大径の光ディスク３のローディング開始前の初期状態では、図２、図３、図１６〜図１８及び図２５等に示すように、機械的な制御機構７１のメインスライドカム７６が戻しバネ８１によって初期位置Ｐ３１まで矢印ｋ方向へ復帰されていて、第１制御機構７１Ａのサブスライドカム７７はメインスライドカム７６上の初期位置３１ａまで戻しバネ８４によって矢印ｎ方向へ復帰されている。そして、図３に示されている第２スイッチ１２２はＯＦＦされている。
【０１００】
そして、図２、図３、図１６〜図１８等に示すように、初期位置Ｐ１１まで矢印ｅ方向へ復帰されているメインスライダ３７の下部に回転自在に取り付けられているピニオン７２の支軸であって、そのピニオン７２より下方に突出されている支軸７２ａの下端がメインスライダ７６の矢印ｅ、ｆ方向と平行な連結溝９４内に挿入されている。
【０１０１】
また、このメインスライダ３７が初期位置Ｐ１１まで矢印ｅ方向へ復帰されていることで、図３に示されている第１スイッチ１２１のアクチュエータ１２１ａがスイッチ作動用カム１２３の矢印ｅ方向側の端部の低所部１２３ａ上に位置して、この第１スイッチ１２１がＯＦＦされている。
【０１０２】
また、図１８及び図２５に示すように、戻しバネ６７によって矢印ｊ方向へ回動付勢されいるメイン押出しアーム６１の他端６１ｂの下部に取り付けられているカム従動ピン１０５とサブスライドカム７７の矢印ｎ方向側の端部７７ａとが相互に当接又は近接されている。
【０１０３】
次に、図２５は、大径の光ディスク３が前述したように、ディスク出入用スロット１１内にローディングセンターＰ１に沿って矢印ａ方向に挿入されて、その光ディスク３の外周の前側が左右一対の押出し用非回転ローラ３５、３６に矢印ａ方向から当接されたタイミングを示している。
【０１０４】
そして、このタイミングでは、前述したように、第１制御機構７１Ａにおけるサブ回転ローラ３１及びメイン回転ローラ３２を介してメインスライダ３７が図１６等に示す初期位置Ｐ１１から図１８に示す移動位置Ｐ１３まで矢印ｆ方向へ移動された状態になる。
【０１０５】
そして、図１８に示すように、そのメインスライダ３７の矢印ｆ方向側の端部の下部に取り付けられているピニオン７２と支軸７２ａが第サブスライドカム７６の第１ラック９５を矢印ｆ方向へ越える位置まで矢印ｆ方向へ移動されて、支軸７２ａの下端がサブスライドカム７６の連結溝９４の矢印ｆ方向側の端部に達する。
【０１０６】
この際、メインスライダ３７が初期位置Ｐ１１から矢印ｆ方向へ移動開始された瞬間に、図３に示されている第１スイッチ１２１のアクチュエータ１２１ａがスイッチ作動用カム１２３の低所部１２３ａから高所部１２３ｂ上へ乗り上げて、図３２のタイムチャートに示すように、この第１スイッチ１２１がＯＮとなり、駆動モータ５１の正回転駆動が開始される。そして、この後、第１スイッチ１２１のアクチュエータ１２１ａは高所部１２３ｂから次の低所部１２３ｃ上へ下降されて、この第１スイッチ１２１はＯＦＦとなるが、駆動モータ５１の正回転は継続される。
【０１０７】
一方、前述したように、駆動モータ５１の正回転によってサブ回転ローラ３１及びメイン回転ローラ３２が矢印Ａ１方向へ回転駆動されると共に、図１８及び図２５に示すように、第１制御機構７１Ｂにおけるピニオン７２が矢印Ｂ１方向へ回転駆動される。
【０１０８】
すると、前述したように、矢印Ａ１方向へ回転駆動されているサブ回転ローラ３１及びメイン回転ローラ３２によって、図２６に示すと共に、図３２のタイムチャートに示すように、大径の光ディスク３が矢印ａ方向へ自動的に引き込まれて、この光ディスク３によって第２制御機構７１Ｂにおける一対の押出し用非回転ローラ３５、３６が矢印ａ方向へ押されて、メイン押出しアーム６１の他端６１ｂが支点６３を中心に戻しバネ６７に抗して矢印ｉ方向へ回転駆動される。
【０１０９】
そして、図１９、図２６及び図２７に示すと共に、図３２のタイムチャートに示すように、第２制御機構７１Ｂにおけるカム従動ピン１０５がメイン押出しアーム６１の支点６３を中心に円弧状溝１０４の矢印ｊ方向側の端部１０４ａからその円弧状溝１０４内を矢印ｉ方向へ円弧状の軌跡に沿って移動（回動）される。
【０１１０】
この時、図１９に示すように、カム従動ピン１０５がサブスライドカム７７の矢印ｎ方向側の端部７７ａを矢印ｏ方向に押して、サブスライドカム７７がメインスライドカム７６上の初期位置Ｐ３１ａから移動位置Ｐ３１ｂまで戻しバネ８４に抗して矢印ｏ方向へ押し出される。
【０１１１】
そして、図１９に１点鎖線で示すように、そのサブスライドカム７７の端部７７ａに接続されている円弧状切欠き１０６が円弧状溝１０４から矢印ｏ方向へ逃がされて、その円弧状溝１０４全体が開放されるので、カム従動ピン１０５が第１カム溝１０２が接続されている他端１０４ｂまで矢印ｊ方向へ移動されると共に、そのカム従動ピン１０５によってメインスライドカム７６上でのサブスライドカム７７の移動位置Ｐ３１ｂが保持される。
この結果、第１制御機構７１Ａにおけるサブスライドカム７７の第１ラック９５の矢印ｏ方向側の先端がピニオン７２に対する矢印ｅ方向側へ矢印ｏ方向から入り込む。
【０１１２】
一方、駆動モータ５１によって既に矢印Ａ１方向へ回転駆動されているサブ回転ローラ３１及びメイン回転ローラ３２と、サブ非回転ローラ３３及びメイン非回転ローラ３４との合計４つのローラによって、前述したように、大径の光ディスク３が図２５〜図２７に示すように矢印ａ方向へ自動的に引き込まれるが、この光ディスク３が図２５の引込み位置から図２６の引込み位置を経て図２７の引込み位置へ到達する間に、前述したように、メイン回転ローラ３２及びサブ回転ローラ３１がメインスライダ３７と一体に、かつ、戻しバネ４９との相互作用によって、大径の光ディスク３の外周を矢印ｆ方向へ一度逃がされた後に、再び矢印ｅ方向へ戻される往復動作が行われる。
【０１１３】
このために、図１９に示すように、第１制御機構７１Ａのサブスライドカム７７がメインスライドカム７６上でストロークＳ３０だけ矢印ｏ方向へ移動されて、第１ラック９５の矢印ｏ方向側の端部がピニオン７２の矢印ｅ方向へ入り込んだ後に、図２０〜図２７に示すように、メインスライダ３７が図１９に示す移動位置Ｐ１３から図２０に示す移動位置Ｐ１４まで矢印ｅ方向へ戻されて、そのメインスライダ３７と一緒にピニオン７２が矢印ｅ方向へ移動される。そして、そのピニオン７２が第１ラック９５に自動的に係合される。
すると、既に矢印Ｂ１方向へ回転駆動されているピニオン７２がその第１ラック９５を駆動して、図２１及び図２８に示すように、メインスライドカム７６上のサブスライドカム７７が矢印ｏ方向へ駆動される。
【０１１４】
そして、図２１に示すように、第１制御機構７１Ａにおいては、ピニオン７２が第１ラック９５を矢印ｏ方向へ駆動すると、図２１及び図２８に示すように、メインスライドカム７６がサブスライドカム７７と一体に、初期位置Ｐ３１から移動位置Ｐ３２まで大きなストロークＳ３１だけ矢印ｍ方向へ移動される。
【０１１５】
すると、図３に示すように、メインスライドカム７６の矢印ｍ方向側の端部７６ａが第２スイッチ１２２のアクチュエータ１２２ａを矢印ｍ方向からプッシュして、この第２スイッチ１２２がＯＮされる。そして、図３２のタイムチャートに示すように、この第２スイッチ１２２の作動によって駆動モータ５１が停止される。
【０１１６】
また、このメインスライドカム７６のストロークＳ３１の矢印ｍ方向への移動により、図１５に示すと共に、図３２のタイムチャートに示すように、クランプアーム１３２のカム従動ローラ１３６がメインスライドカム７６のクランプアーム回動制御用カム１１３上から矢印ｋ方向へ下降されて、クランプアーム１３２の先端のクランパ１３４が図１４に示すクランプ解除位置から図１５に示すクランプ位置へ移動開始される。
【０１１７】
一方、大径の光ディスク３は、図２７に示すポジションで、ターンテーブル１４の真上位置へ既に到達されている。
そして、図２１、図２７及び図２８に示すように、矢印Ｂ１方向へ回転駆動されているピニオン７２が第１ラック９５を矢印ｏ方向へ駆動する際に、ピニオン７２の支軸７２ａの下端がサブスライドカム７７の第１カム溝９２内を相対的に矢印ｎ方向へ移動されるように構成されている。
【０１１８】
従って、図２１に示されている第１、第２カム溝９２、９３及び第１、第２ラック９５、９６の傾斜角度θ１によって設定されている矢印ｅ、ｆ方向の偏位量Ｓ３２に相当する偏位量だけ、メインスライドカム７６が図２７のポジションから図２８のポジションまで矢印ｆ方向へ移動される。
【０１１９】
一方、第２制御機構７１Ｂにおいては、メインスライドカム７６が図１９及び図２７に示す初期位置Ｐ３１から図２１及び図２８に示すスライド位置Ｐ３２まで大きなストロークＳ３１だけ矢印ｍ方向へ移動される間に、カム従動ピン１０５が円弧状溝１０４の矢印ｉ方向の端部から第１カム溝１０２内へほぼ矢印ｋ方向へ相対的に入り込む。
【０１２０】
すると、図２１に示されている第１、第２カム溝１０２、１０３の小さい傾斜角度θ２によって設定されている矢印ｅ方向の小さい偏位量Ｓ３２だけ、カム従動ピン１０５がメイン押出しアーム６１の支点６３を中心に矢印ｉ方向へ小さく回転駆動されて、そのメイン押出しアーム６１の先端６１ａが矢印ｉ方向へ回転駆動される。
【０１２１】
以上述べた機械的な制御機構７１による制御動作によって、図１１及び図１２に実線で示すと共に、図２７に示すように、メイン回転ローラ３２及びメイン非回転ローラ３４と、左右一対の押出し用非回転ローラ３５、３６が大径の光ディスク３の外周を保持している位置から、図１１及び図１２に１点鎖線で示すと共に、図２８に示すように、これらメイン回転ローラ３２及びメイン非回転ローラ３４と、左右一対の押出し用非回転ローラ３５、３６が大径の光ディスク３の外周からそれぞれ矢印ｆ、ｈ方向及び矢印ｉ方向へ離脱された位置への制御が自動的に実行される。そして、図１２で説明したように、大径の光ディスク３がメイン回転ローラ３２及びメイン非回転ローラ３４と、左右一対の押出しローラ３５、３６の合計４つの下部円錐ローラ部３２Ｂ、３４Ｂ、３５Ｂ及び３６Ｂの斜面に沿って自重によって矢印ｔ方向へ平行に下降されて、この光ディスク７３がターンテーブル１４上にクランプアーム１３２の先端のクランパ１３４によってクランプ（チャッキング）されることになる。
【０１２２】
但し、この大径の光ディスク３のターンテーブル１４上へのクランプ時には、図３２のタイムチャートに示すように、駆動モータ（ＤＣモータ）５１の駆動状態が電圧制御による高速制御からパルス制御による低速制御に切り換えられる。
【０１２３】
従って、メイン回転ローラ３２及びサブ回転ローラ３１と、左右一対の押出し用非回転ローラ３５、３６は図２１に示すと共に、図１１及び図１２に実線で示されている引込み完了位置Ｐ２４及び押込み完了位置Ｐ４２から、図１１及び図１２に１点鎖線で示されていると共に、図２８に示されているディスク離脱位置Ｐ２５、Ｐ４３へそれぞれ矢印ｆ、ｈ方向及び矢印ｉ方向へ低速で移動されることになる。
【０１２４】
この結果、大径の光ディスク３は、図１２に実線で示されている引込み完了位置（上昇位置）から１点鎖線で示されているクランプ位置（下降位置）まで、これらメイン回転ローラ３２、メイン非回転ローラ３４、左右一対の押出し用非回転ローラ３５、３６の下部円錐ローラ部３２Ｂ、３４Ｂ、３５Ｂ及び３６Ｂの斜面に沿って水平状態を保ったまま、ゆっくり、かつ、安全に下降される。
【０１２５】
従って、光ディスク３の中心孔３ａをターンテーブル１４のセンターリング用ボス１４ａの外周に正確に嵌合させることができて、ターンテーブル１４に対する光ディスク３のクランプミス（チャッキングミス）を未然に防止することができる。
［大径の光ディスクのイジェクト時の制御動作］
【０１２６】
次に、大径の光ディスク３のイジェクト動作は、前述したローディング動作の逆の順序で実行される。
即ち、前述したように、大径の光ディスク３の記録、再生後に、光ディスクドライブ装置１にイジェクト指令信号が入力されると、駆動モータ５１が逆回転駆動されて、図２２に示すように、サブ回転ローラ３１及びメイン回転ローラ３２が矢印Ａ２方向へ逆回転駆動されると共に、ピニオン７２が矢印Ｂ２方向へ逆回転駆動される。
【０１２７】
すると、図２０、図２１及び図２７に示すように、矢印Ｂ２方向に逆回転駆動されるピニオン７２によってサブスライドカム７７の第１ラック７５が矢印ｎ方向へ駆動されて、このサブスライドカム７７がメインスライドカム７６と一緒に戻しバネ８４に抗して、かつ、戻しバネ８１との相互作用によって、図２１及び図２８に示す移動位置Ｐ３２から図２０及び図２７に示す初期位置Ｐ３１までストロークＳ３１だけ矢印ｋ方向へ復帰される。
【０１２８】
しかも、この時、ピニオン７２の支軸７２ａの下端がメインスライドカム７６の第１カム溝９２内を相対的に矢印ｏ方向へ移動されることによって、メインスライダ３７が図２１及び図２８に示す位置から図２０及び図２７に示す位置まで、矢印ｅ方向へ移動される。
【０１２９】
他方、この時、図２０に示すように、メイン押出しアーム６１のカム従動ピン１０５が直線状の第１カム溝１０１内を円弧状溝１０４の他端１０４ｂまで矢印ｍ方向へ相対的に移動されて、そのカム従動ピン１０５にサブスライドカム７７の円弧状の切欠き１０６が戻しバネ８４に抗して当接される。
【０１３０】
そして、カム従動ピン１０５が第１カム溝１０２内を矢印ｍ方向へ移動する間に、メイン押出しアーム６１と、これに連動されているサブ押出しアーム６２がそれぞれ支点６３、６４を中心に図２８に示す位置から図２７に示す位置まで、矢印ｊ方向へ回動される。
【０１３１】
そして、ユーザが大径の光ディスク３をディスク出入用スロット１１外へ矢印ｂ方向へ抜き取ると、その光ディスク３を保持していたサブ回転ローラ３１とサブ非回転ローラ３３を支持しているメインスライダ３７とサブスライダ３８が戻しがね４９によって初期位置Ｐ１１まで、矢印ｅ、ｇ方向へ復帰する。よって第１スイッチ１２１のアクチュエータ１２１ａもスイッチ作動用カム１２３の高所部１２３ｂから低所部１２３ａへ移動して、この第１スイッチ１２１はＯＦＦとなる。
【０１３２】
以上により、メイン回転ローラ３２及びメイン非回転ローラ３３と、左右一対の押出し用非回転ローラ３５、３６が、図１２にそれぞれ１点鎖線で示すディスク離脱位置Ｐ２５、Ｐ４３から図１２それぞれ実線で示す引込み完了位置Ｐ２４及び押込み完了位置Ｐ４２まで矢印ｅ、ｊ方向へ移動される。
【０１３３】
この結果、図１２で説明したように、大径の光ディスク３が１点鎖線で示すローディング位置（下降位置）から実線で示す引込み完了位置（上昇位置）まで矢印ｕ方向へ平行に上昇される。
【０１３４】
そして、この後に、前述したように、矢印Ａ２方向へ逆回転駆動されているメイン回転ローラ３２及びサブ回転ローラ３１と、メイン非回転ローラ３４とサブ非回転ローラ３３が戻しバネ４９によって矢印ｅ、ｇ方向へ復動されることと、一対の戻しバネ６７、６８によって一対の押出しアーム６１、６２を介して一対の押出し用非回転ローラ３５、３６が矢印ｊ方向へ押し出されることとの相互作用によって、大径の光ディスク３が図１で矢印ｂ方向へ自動的に押し出される。そして、最終的には、サブ回転ローラ３１とサブ非回転ローラ３３によって、大径の光ディスク３が図１に１点鎖線で示したディスク出入用スロット１１へ矢印ｂ方向へ押し出される。
【０１３５】
この際、メイン押出しアーム６１及びサブ押出しアーム６２が図２７〜図２５に示すように戻しバネ６７、６８によってそれぞれ矢印ｊ方向へ回転駆動されることによって、左右一対の押出し用非回転ローラ３５、３６による大径の光ディスク３の矢印ｂ方向への押出が行われるが、この間、メイン押出しアーム６１のカム従動ピン１０５は図１９及び図２０に示されている円弧状溝１０４の一端１０４ｂから他端１０４ａへ矢印ｊ方向へ移動される。
【０１３６】
そして、このカム従動ピン１０５が円弧状溝１０４内を図１８に示す一端１０４ａまで矢印ｊ方向へ復帰される際に、図１８及び図２５に示すようにメテインスライドカム７６上のサブスライドカム７７が戻しバネ８４によって移動位置Ｐ３１ｂから初期位置Ｐ３１ａまでストロークＳ３０だけ矢印ｎ方向へ復帰される。
すると図１８及び図２５に実線で示すように、サブスライドカム７７の第１ラック９５がピニオン７２から矢印ｎ方向へ完全に離脱される。
【０１３７】
そして、第１ラック９５がピニオン７２から矢印ｎ方向へ離脱されたことによって、図３及び図７に示すように、メインスライダ３７とサブスライダ３８とに戻しバネ４９による矢印ｅ、ｇ方向への復動力が働き、図２５に示すように、メイン回転ローラ３２とメイン非回転ローラ３５が大径の光ディスク３の外周で、その光ディスク３の中心より後方側（矢印ａ方向側）を左右両側から矢印ｅ、ｇ方向に弾性的に押圧することになる。
【０１３８】
すると、前述したローディング時の逆動作で、大径の光ディスク３がメイン回転ローラ３２及びメイン非回転ローラ３４と、サブ回転ローラ３１及びサブ非回転ローラ３３とによって順次受け継がれるようにして、図１で矢印ｂ方向へ水平状に押し出されることになる。
【０１３９】
この際、図３２のタイムチャートに示すように、大径の光ディスク３の押出しストロークの後半、即ち、この光ディスク３がディスク出入用スロット１１外の矢印ｂ方向へ押し出される際には、駆動モータ５１が再度、低速制御されて、この大径の光ディスク３は図１に１点鎖線で示された押出し位置まで矢印ｂ方向からディスク出入用スロット１１外へ低速度で、安全に押し出されることになる。
【０１４０】
一方、前述した再生時に、大径の光ディスク３が予め判別（識別）されていることから、サブ回転ローラ３１及びメイン回転ローラ３２が図１に１点鎖線で示す位置Ｐ２２、Ｐ２４まで復帰された時点で、図３２のタイムチャートに示すように、第１スイッチ１２１がＯＮされて、駆動モータ５１が停止する。
【０１４１】
しかも、図３２のタイムチャートに示すように、大径の光ディスク３がディスク出入用スロット１１外へ矢印ｂ方向へ押し出される際には、駆動モータ５１が再び低速制御されるので、大径の光ディスク３は図１に１点鎖線で示された押出し位置までディスク出入用スロット１１外へゆっくり（低速）押し出されることになって、その光ディスク３がディスク出入用スロット１１外へストロークＳ２だけ正確に押し出されることになる。
【０１４２】
なお、大径の光ディスク３のイジェクト時には、図３２のフローチャートに示すように、メインスライダ３７が図２８に示す位置から図２７に示す位置まで矢印ｅ方向に移動されることによって、図３に示された第１スイッチ１２１のアクチュエータ１２１ａがスイッチ作動用カム１２３の他方の低所部１２３ｂから高所部１２３ｂへ乗り上げて、この第１スイッチ１２１がＯＮで、駆動モータ５１が停止して、大径の光ディスク３のイジェクト（排出）も止まる。
【０１４３】
この際、図８及び図９に示されているサブ回転ローラ３１とサブ非回転ローラ３３の円形凹部３１Ｃ、３３Ｃのゴム等の弾性部材３１Ｄ、３３Ｄによる高摩擦の保持力によってその大径の光ディスク３の外周の２点が矢印ｅ、ｇ方向から弾性的に保持された状態で、大径の光ディスク３が図１に１点鎖線で示されている押出し位置に停止される。
【０１４４】
そして、図４に示すように、ディスク出入用スロット１１外へ矢印ｂ方向へ押し出された大径の光ディスク３は、そのディスク出入用スロット１１の上下のスカート部１２によって上下から弾性的に安全に保持される。
［小径の光ディスクのローディング時の制御動作］
【０１４５】
次に、図２２〜図２４、図２９〜図３１に示すように、小径の光ディスク２のローディング時には、前述した大径の光ディスク３のローディング時と同様に、駆動モータ５１によって矢印Ａ１方向へ回転駆動されているサブ回転ローラ３１及びメイン回転ローラ３２によってその光ディスク２がディスク出入用スロット１１から光ディスクドライブ装置１の内部へ矢印ａ方向に引き込まれる。また、図２２に示すように、駆動モータ５１によってピニオン７２も矢印Ｂ１方向へ回転駆動される。
【０１４６】
そして、小径の光ディスク２が図２９のポジションから図３０のポジションへ引き込まれて、その光ディスク２によって左右一対の押出し用非回転ローラ３５、３６が矢印ｉ方向へ所定距離だけ押されて、図２２に示すように、カム従動ピン１０５がメインスライドカム７７の円弧状溝１０４の端部１０４ａから第２カム溝１０３の前端まで矢印ｉ方向に小さい角度だけ回動され、サブスライドカム７６がメインスライドカム７７に対する初期位置Ｐ３１ａからスライド位置Ｐ３１ｂまでストロークＳ３１だけ矢印ｏ方向へスライドされるのとほぼ同時に、図２３に示すように、既に矢印Ｂ１方向へ回転駆動されているピニオン７２が第２ラック９６に噛合される。
【０１４７】
そして、図２４及び図３１に示すように、小径の光ディスク２がターンテーブル１４の真上位置に到達した瞬間に、矢印Ｂ１方向へ回転駆動されているピニオン７２によって第２ラック９６が矢印ｏ方向へ相対的に駆動されて、ピニオン７２の支軸７２ａの下端が第２カム溝９３内に矢印ｎ方向へ相対的に入り込むのと同時に、サブスライドカム７７と一体にメインスライドカム７６が初期位置Ｐ３１からスライド位置Ｐ３２までストロークＳ３１だけ矢印ｍ方向へ移動される。
【０１４８】
そして、図２４に示すように、カム従動ピン１０５が円弧状溝１０４から第２カム溝１０３内に矢印ｋ方向へ相対的に入り込む。
この結果、大径の光ディスク３のローディング時と同様に、図２５に示すように、メイン回転ローラ３２及びメイン非回転ローラ３４と、左右一対の押出し用非回転ローラ３５が、小径の光ディスク２の外周からそれぞれ矢印ｉ、ｋ方向及び矢印ｉ方向へ離脱されて、前述したように、この小径の光ディスク２がターンテーブル１４上にクランプ（チャッキング）されることになる。
【０１４９】
なお、小径の光ディスク２のイジェクト動作は、前述した大径の光ディスク３のイジェクト動作とほぼ同様の工程を経て、図１に実線で示すように、ディスク出入用スロット１１外へ矢印ｂ方向にイジェクトされるが、この小径の光ディスク２のイジェクト時には、前述した大径の光ディスク３の記録、再生時と同様に、この光ディスク２の記録、再生時にも、スピンドルモータ１３のイナーシャ等によって、現在の光ディスクが小径の光ディスクであるか、大径の光ディスクであるかが検出（識別）される。
【０１５０】
そして、の小径の光ディスク２のディスク出入用スロット１１外へのイジェクト時には、図１に１点鎖線で示されている大径の光ディスク３の中心孔３ａに、その小径の光ディスク２の中心孔２ａが一致させることができるストロークＳ１だけ、その小径の光ディスク２がディスク出入用スロット１１外へイジェクトされた時点で、駆動モータ５１が停止されて、その小径の光ディスク２のイジェクト動作が完了されるように構成されている。
即ち、第１スイッチ１２１がＯＦＦからＯＮし、更にＯＦＦした時点で駆動モータ５１は停止し、同時にその状態が初期状態となる。
［光ディスクドライブ装置の特徴］
【０１５１】
以上のように構成され、かつ、動作される光ディスクドライブ装置１は、１個の駆動モータと、２個のスイッチを使用する１モータ、２スイッチの機械的な制御機構７１が用いられていて、構造の簡素化による低コスト化を実現できる上に、光ディスク２、３のローディング・イジェクト時における各タイミングを機械的に明確に判別（識別）することができるので、誤動作が発生し難く、スムーズなローディング・イジェクトを実行することが可能である。
【０１５２】
スピンドルモータ１３及びターンテーブル１４を昇降させることなく、これらスピンドルモータ１３及びターンテーブル１４を定位置に設置したまま、ディスクローディング手段であるサブ回転ローラ３１及びメイン回転ローラ３２と、サブ非回転ローラ３３及びメイン非回転ローラ３４と、左右一対の押出し用非回転ローラ３５及び３６によって、大小２種類の光ディスク２、３をディスク出入用スロット１１から選択的に水平に引き込んだ後に、水平状態のまま下降してターンテーブル１４上にクランプ（チャッキング）するので、図４に示した光ディスクドライブ装置１の高さ（厚み）Ｔを著しく薄くすることができる。
【０１５３】
スピンドルモータ１３及びターンテーブル１４を昇降させることなく、ディスクローディング手段であるサブ回転ローラ３１及びメイン回転ローラ３２と、サブ非回転ローラ３３及びメイン非回転ローラ３４と、左右一対の押出し用非回転ローラ３５及び３６によって、大小２種類の光ディスク２、３をディスク出入用スロット１１から選択的に水平に引き込んだ後に、直ちに、水平状態のまま下降してターンテーブル１４上にクランプ（チャッキング）するので、光ディスク２、３の選択的なローディング・イジェクトの動作時間の短縮を図ることができて、光ディスク２、３の選択的なローディング・イジェクトをスムーズに行うことができる。
【０１５４】
ディスクローディング手段であるサブ回転ローラ３１及びメイン回転ローラ３２と、サブ非回転ローラ３３及びメイン非回転ローラ３４と、左右一対の押出し用非回転ローラ３５及び３６によって、大小２種類の光ディスク２、３の外周を保持するようにして、大小２種類の光ディスク２、３をディスク出入用スロット１１から選択的に水平に引き込んだ後に、直ちに、水平状態のまま下降してターンテーブル１４上にクランプ（チャッキング）するので、これらの光ディスク２、３の下面である記録面を汚染したり、損傷させるようなことが皆無であり、安全性が非常に高い。
【０１５５】
しかも、サブ回転ローラ３１及びメイン回転ローラ３２と、サブ非回転ローラ３３及びメイン非回転ローラ３４と、左右一対の押出し用非回転ローラ３５及び３６がそれぞれほぼ鼓型に形成されていて、これらの上下のほぼ中間部に形成された円形凹部３１Ｃ、３２Ｃ、３３Ｃ、３４Ｃ、３５Ｃ及び３６Ｃによって、大小２種類の光ディスク２、３の外周を選択的に保持するようにして、選択的なローディング・イジェクトを行うので、ローディング・イジェクトの動作途中で光ディスク２、３の位相が上下に不用意に変動することが皆無であり、光ディスク２、３の選択的なローディング・イジェクトの動作を正確に行うことができる。
【０１５６】
また、メイン回転ローラ３２及びメイン非回転ローラ３４と、左右一対の押出し用非回転ローラ３５及び３６の下部円錐ローラ部３２Ｂ、３４Ｂ、３５Ｂ及び３６Ｂを利用して、これらメイン回転ローラ３２及びメイン非回転ローラ３４と、左右一対の押出し用非回転ローラ３５及び３６を光ディスク２や３の外周に対して押圧、離間させるだけで、光ディスク２や３を水平状態のままで、ターンテーブル１４に対して昇降する構造は、構成が簡単で、動作が安定し、かつ、低コストである。
【０１５７】
更に、ディスクローディング手段であるサブ回転ローラ３１及びメイン回転ローラ３２と、サブ非回転ローラ３３及びメイン非回転ローラ３４とによって、光ディスク２、３のローディング方向に対して直角な方向である左右両側方から光ディスク２、３を選択的に挟持するようにしてローディング・イジェクトする構造は、これらの光ディスク２、３をターンてブル１４へ正確、かつ、スムーズにローディングすることができると共に、光ディスク２、３をディスク出入用スロットのローディングセンターＰ１へ正確にイジェクト
することができる。
［自由回転防止機構の特徴］
【０１５８】
ところで、図７等に開示されているように、駆動モータ５１のモータ軸５３ａと、その駆動モータ５１からサブ回転ローラ３１、メイン回転ローラ３２及びピニオン７２への回転力を伝達する複数のアイドラ５６からなる回転力伝達経路の入力側に組み込まれているウォーム５２とウォームホイール５３とからなる自由回転防止機構５４は、例えば、サブ回転ローラ３１の外力による回転を禁止している。
【０１５９】
従って、この光ディスクドライブ装置１は、一般的な水平使用のみならず、ディスク出入用スロット１１を下向きに設定して使用する下向き垂直使用、ディスク出入用スロット１１を上向きに設定して使用する上向き垂直使用やディスク出入用スロット１１を垂直に立てて横向きに使用する横向きの垂直使用等の各種の垂直使用時における安全性が非常に高い。
【０１６０】
即ち、例えば、ディスク出入用スロット１１を下向きに設定して使用する下向き垂直使用時には、小径、大径の光ディスク２、３をディスク出入用スロット１１から上方に向けて垂直状に挿入、排出することになり、これら小径、大径の光ディスク２、３のイジェクト完了状態では、これらの光ディスク２、３は、上側の外周をサブ回転ローラ３１とサブ非回転ローラ３３との間で戻しバネ４９のバネ力によって挟持した状態の宙吊り状態で保持することになり、これらの光ディスク２、３の重力によってサブ回転ローラ３１に外力が加えられる。
しかし、このサブ回転ローラ３１の外力による回転を自由回転防止機構５４が禁止しているので、これらの光ディスク２、３を宙吊り状態のまま安全に保持することができる。
【産業上の利用可能性】
【０１６１】
以上、本発明の最良の形態について説明したが、本発明は光ディスクを記録、再生する光ディスクドライブ装置のディスククランプ機構に限定されることなく、各種のディスクを記録及び／又は再生する各種のディスク装置に適用することができる。
また、連動機構４６は上記した２枚のラック４３、４４とピニオン４５の組み合わせ構造に限定されることなく、例えば、長さ方向の中央に支点を有するシーソー式レバーの両端で一対のスライダ３７、３８を互いに反対方向へスライド駆動する構造等の各種の変更が可能である。
また、自由回転防止機構５４も上記したウオーム５２とウオームホイール５３の組み合わせ構造に限定されることなく、例えば、２枚の螺旋歯車を交差させる構造や互いに異径の２枚の傘歯車を交差させる構造等の各種の変更が可能である。
【図面の簡単な説明】
【０１６２】
【図１】本発明の光ディスクドライブ装置の上面を切り欠いて示した平面図である。
【図２】本発明の光ディスクドライブ装置の底面を切り欠いて示した底面図である。
【図３】図２の要部を拡大して示した底面図である。
【図４】図１の縦断面側面図であって、光ディスクのローディングの開示及びイジェ    クトの終了を示した図面である。
【図５】図４と同様の縦断面側面図であって、光ディスクのローディング及びイジェ    クトの途中を示した図面である。
【図６】図５と同様の縦断面側面図であって、光ディスクのローディングの終了を示    した図面である。
【図７】本発明の光ディスクドライブ装置の光ディスクのローディング・イジェクト    を行う回転ローラ及び非回転ローラの駆動機構を示した平面図である。
【図８】本発明の光ディスクドライブ装置の回転ローラを説明する図７のＡ−Ａ矢視    での拡大断面図及び平面図である。
【図９】本発明の光ディスクドライブ装置の非回転ローラを説明する図７のＢ−Ｂ矢    視での拡大断面図及び平面図である。
【図１０】本発明の光ディスクドライブ装置の押出しローラを説明する断面図及び平    面図である。
【図１１】本発明の光ディスクドライブ装置における大径の光ディスクのローディン    グ完了状態を説明する平面図である。
【図１２】本発明の光ディスクドライブ装置における光ディスクのターンテーブルに    対するクランプ（チャッキング）及びクランプ解除の動作を説明する一部切欠き側面    図である。
【図１３】本発明の光ディスクドライブ装置における小径の光ディスクのローディン    グ完了状態を説明する平面図である。
【図１４】本発明の光ディスクドライブ装置におけるディスククランパとシャッタの    開閉動作を説明する一部切欠き側面図である。
【図１５】図１５と同様の一部切欠き側面図である。
【図１６】本発明の光ディスクドライブ装置のローディング・イジェクトの機構全体    を示した一部切欠き平面図である。
【図１７】図１６の要部である機械的な制御機構を説明する斜視図である。
【図１８】同上の機械的な制御機構の初期状態を示した平面図である。
【図１９】大径の光ディスクのローディング時における同上の機械的な制御機構のメ    イン押出しアームによるサブスライドカムのスライド動作を説明する平面図である。
【図２０】大径の光ディスクのローディング時における同上の機械的な制御機構のサ    ブスライドカムの第１ラックに対するメインスライダのモータで駆動されるピニオン    の係合を説明する平面図である。
【図２１】大径の光ディスクのローディング時における同上の機械的な制御機構のモ    ータで駆動させるピニオンによって第１ラックを介してサブスライドカムとメインス    ライドカムがスライド駆動される様子を説明する平面図である。
【図２２】小径の光ディスクのローディング時における同上の機械的な制御機構のメ    イン押出しアームによるサブスライドカムのスライド動作を説明する平面図である。
【図２３】小径の光ディスクのローディング時における同上の機械的な制御機構のサ    ブスライドカムの第１ラックに対するメインスライダのモータで駆動されるピニオン    の係合を説明する平面図である。
【図２４】小径の光ディスクのローディング時における同上の機械的な制御機構のモ    ータで駆動させるピニオンによって第１ラックを介してサブスライドカムとメインス    ライドカムがスライド駆動される様子を説明する平面図である。
【図２５】本発明の光ディスクドライブ装置における大径の光ディスクのローディン    グ動作の初期段階を示した平面図である。
【図２６】図２５に続く大径の光ディスクのローディング動作を説明する平面図であ    る。
【図２７】図２６に続く大径の光ディスクのローディング動作を説明する平面図であ    る。
【図２８】図２６に続く大径の光ディスクのローディング動作の終了を説明する平面    図である。
【図２９】本発明の光ディスクドライブ装置における小径の光ディスクのローディン    グ動作の初期段階を説明する平面図である。
【図３０】図２９に続く小径の光ディスクのローディング動作を説明する平面図であ    る。
【図３１】図３０に続く小径の光ディスクのローディング動作のの終了を説明する平    面図である。
【図３２】本発明の光ディスクドライブ装置における大径の光ディスクのローディン    グ・イジェクトの動作タイミングを説明するタイムチャートである。
【符号の説明】
【０１６３】
１  光ディスクドライブ装置、  ２  小径の光ディスク、  ３  大径の光ディスク、
４  ローディング機構、  ７  外筐、  ７ａ  フロンとパネル、
１３  スピンドルモータ、  １４  ターンテーブル、
１１  ディスク出入用スロット、  １２  スカート部、  １３  スピンドルモータ、
１４  ターンテーブル、  ３１  サブ回転ローラ、  ３２  メイン回転ローラ、
３３  サブ非回転ローラ、  ３４  メイン非回転ローラ、
３５  押出し用非回転ローラ、  ３６  押出し用非回転ローラ、
３７  メインスライダ、  ３８  サブスライダ、  ４６  連動機構、  ４９  戻しバネ
５１  駆動モータ、  ５４  自由回転防止機構、  ５６  アイドラ、
６１  メイン押出しアーム、  ６２  サブ押出しアーム、  ７１  制御機構、
７１Ａ  第１制御機構、  ７１Ｂ  第２制御機構、  ７２  ピニオン、  
７６  メインスライドカム、  ７７  サブスライドカム、  ８１  戻しバネ、
８４  戻しバネ、  ９５  第１ラック、  ９６  第２ラック、  １０２  第１カム溝
１０３  第２カム溝、  １０４  円弧状溝、  １２１  第１スイッチ、
１２２  第２スイッチ、  １２３  スイッチ作動用カム
【図１】
2006331487.tif 000003
【図２】
2006331487.tif 000004
【図３】
2006331487.tif 000005
【図４】
2006331487.tif 000006
【図５】
2006331487.tif 000007
【図６】
2006331487.tif 000008
【図７】
2006331487.tif 000009
【図８】
2006331487.tif 000010
【図９】
2006331487.tif 000011
【図１０】
2006331487.tif 000012
【図１１】
2006331487.tif 000013
【図１２】
2006331487.tif 000014
【図１３】
2006331487.tif 000015
【図１４】
2006331487.tif 000016
【図１５】
2006331487.tif 000017
【図１６】
2006331487.tif 000018
【図１７】
2006331487.tif 000019
【図１８】
2006331487.tif 000020
【図１９】
2006331487.tif 000021
【図２０】
2006331487.tif 000022
【図２１】
2006331487.tif 000023
【図２２】
2006331487.tif 000024
【図２３】
2006331487.tif 000025
【図２４】
2006331487.tif 000026
【図２５】
2006331487.tif 000027
【図２６】
2006331487.tif 000028
【図２７】
2006331487.tif 000029
【図２８】
2006331487.tif 000030
【図２９】
2006331487.tif 000031
【図３０】
2006331487.tif 000032
【図３１】
2006331487.tif 000033
【図３２】
2006331487.tif 000034